(57)【要約】【課題】左右一対の前輪および左右一対の後輪に対するショックアブソーバが作動油給排手段を伴うクロス連結型ショックアブソーバシステムにより作動する車輌に於いて、一輪が高い凸部へ乗り上げ、作動油給排手段が作動して作動油を補給したとき、作動油補給終了後に左右輪部の間に大きな車高偏差が残ることを抑制する。【解決手段】左右いずれか一輪の凸部への乗上げに対し作動油給排手段による作動油の補給が開始されたとき、乗上げの高さの増大に応じて作動油の補給の停止をより早くする。【選択図】図３
2008044488.tif 000002
【特許請求の範囲】
【請求項１】
左右一対の前輪および左右一対の後輪の各々に対するショックアブソーバと、前記一対の前輪の左右のショックアブソーバのうちの一方の側のショックアブソーバの作動油圧に対する他方の側のショックアブソーバの作動油圧の差と前記一対の後輪の左右のショックアブソーバのうちの前記一方の側のショックアブソーバの作動油圧に対する前記他方の側のショックアブソーバの作動油圧の差とを対向させるフリーピストンを備えたシリンダ−ピストン装置と、前記一対の前輪および前記一対の後輪の少なくとも一方の車輪対に対するショックアブソーバの各々に対し作動油の補給と排出を行う作動油給排手段とを有し、前記車輪の一つのバウンドにより該車輪部の車高が車高上げ制御開始車高を越えて低減したときには該車輪に対するショックアブソーバに対し前記作動油給排手段により作動油の補給を開始し、該車輪部の車高が車高上げ制御終了車高以内に復したときには該ショックアブソーバに対する前記作動油給排手段による作動油の補給を停止するようになっているクロス連結型ショックアブソーバシステムを備えた車輌にして、左右いずれか一輪の凸部への乗上げに対する前記作動油給排手段による作動油の補給の停止を該乗上げの高さの増大に応じてより早くするようになっていることを特徴とする車輌。
【請求項２】
前記の左右いずれか一輪の凸部への乗上げに対する前記作動油給排手段による作動油の補給の停止を該乗上げの高さの増大に応じてより早くすることは、前記一輪部の車高とそれと左右反対側の車輪部の車高との間の車高差を所定の分割比にて分割する中間車高が該乗上げの高さが小さいときのために設定された所定の車高上げ制御終了車高を横切ることにより前記作動油給排手段による作動油の補給を停止することにより行なわれるようになっていることを特徴とする請求項１に記載の車輌。
【請求項３】
前記分割比は前記乗上げの高さの増大に応じてその分割点が前記一輪部の車高より前記左右反対側の車輪部の車高へ向かうように定められていることを特徴とする請求項２に記載の車輌。
【請求項４】
前記分割点は前記乗上げの高さが所定の車高上げ制御開始車高であるとき前記一輪部の車高に一致するよう定められていることを特徴とする請求項３に記載の車輌。
【請求項５】
前記の左右いずれか一輪の凸部への乗上げに対する前記作動油給排手段による作動油の補給の停止を該乗上げの高さの増大に応じてより早くすることは、該乗上げの高さの増大に応じて前記一輪部の車高に所定の低減比を掛けた修正車高が該乗上げの高さが小さいときのために設定された所定の車高上げ制御終了車高を横切ることにより前記作動油給排手段による作動油の補給を停止することにより行なわれるようになっていることを特徴とする請求項１に記載の車輌。
【請求項６】
前記低減比は前記乗上げの高さの増大に応じて小さくなるように定められていることを特徴とする請求項５に記載の車輌。
【請求項７】
前記低減比は前記乗上げの高さが所定の車高上げ制御開始車高であるとき１となるよう定められていることを特徴とする請求項６に記載の車輌。
【請求項８】
前記の左右いずれか一輪の凸部への乗上げに対する前記作動油給排手段による作動油の補給の停止を該乗上げの高さの増大に応じてより早くすることは、該乗上げの高さの増大に応じて増大する増大比を該乗上げの高さが小さいときのために設定された所定の車高上げ制御終了車高に掛けた修正車高上げ制御終了車高を前記一輪部の車高が横切ることにより前記作動油給排手段による作動油の補給を停止することにより行なわれるようになっていることを特徴とする請求項１に記載の車輌。
【請求項９】
前記増大比は前記乗上げの高さの増大に応じて大きくなるように定められていることを特徴とする請求項８に記載の車輌。
【請求項１０】
前記増大比は前記乗上げの高さが所定の車高上げ制御開始車高であるとき１となるよう定められていることを特徴とする請求項９に記載の車輌。
【発明の詳細な説明】
【技術分野】
【０００１】
本発明は、自動車等の車輌の車輪懸架装置に組み込まれたショックアブソーバに係り、特に４室のフリーピストン式シリンダ−ピストン装置を備え、一対の後輪のショックアブソーバが一対の前輪のショックアブソーバに対しクロスした関係にてシリンダ−ピストン装置に連結されているクロス連結型のショックアブソーバシステムに関する改良に係わる。
【背景技術】
【０００２】
左右一対の前輪および左右一対の後輪を有する４輪自動車等の車輌に於いて、各輪をそれぞれがショックアブソーバを組み込んだ車輪懸架装置により車体に懸架することは、この技術の分野に於いては周知である。また、そのような４つのショックアブソーバに段付フリーピストンを備えたシリンダ−ピストン装置を組み合わせ、一対の前輪に対する左右のショックアブソーバの作動油圧をフリーピストンの両側に作用させて互いに対向させ、これに重ねて同じフリーピストンの両側に一対の後輪に対する左右のショックアブソーバの作動油圧を作用させて互いに対向させるクロス連結型ショックアブソーバシステムは、下記の特許文献１に記載されている如く、この技術の分野に於いては公知である。尚、この特許文献１は、かかるクロス連結型ショックアブソーバシステムと、一対の前輪に対する左右のショックアブソーバのうちの一方の側のショックアブソーバの作動油圧に対する他方の側のショックアブソーバの作動油圧の差と一対の後輪に対する左右のショックアブソーバのうちの同じ一方の側のショックアブソーバの作動油圧に対する同じ他方の側のショックアブソーバの作動油圧の差とをフリーピストンにより対向させるパラレル連結型ショックアブソーバシステムとの間を、車輌の運転状態に応じて、切換弁により切り換えるものである。
【特許文献１】特開２００２-２７６７８６
【０００３】
一方、４輪自動車等の車輌の各輪を車体に懸架するサスペンションに組み込まれたショックアブソーバの各々に対し作動油の補給と排出を行う作動油給排手段を用い、車高センサ等による各輪の車高の検出に基づいて作動油給排手段を作動させることにより車輌の姿勢や挙動を種々の態様に制御することが、例えば、下記の特許文献２〜４に示されている如く、種々提案されている。このうち特許文献２には、左右一対の車輪に対する一対のショックアブソーバに対する作動油を、左右一対の車輪の車高の平均値が目標値となり、また左右一対のショックアブソーバに於ける作動油圧の差が車体に作用する横加速度の値に対応した値となるように制御することが提案されている。特許文献３には、左右一対の車輪に対し１個設けられた車高センサにより車高を検出し、検出車高が目標値となるよう車高調整を行う車高自動調整装置に於いて、車輌停止後に車高センサにより検出された車高が車輌走行中に於ける平均的車高または車高調整の目標値から大きく異なるときには、車高センサが位置する近傍の車輪が凸部に乗り上げ或いは凹部に嵌入していると推定して車高調整の仕方を通常時とは異ならせることが提案されている。特許文献４には、車輌が山地、荒れ地、不整地、川原、河川等のオフロードを走行する際に車体を水平状態に維持すべく、車体の水平状態からの傾斜角の変化を検出する傾斜角度センサと各車輪の位置に於ける車高センサからの信号に基づいて平均車高演算手段により各車輪に対する流体圧アクチュエータ（ショックアブソーバ）を作動させることが提案されている。
【特許文献２】特開平１-６７９４２
【特許文献３】特開２００４-４２６７９
【特許文献４】特開平７-２７６９５６
【発明の開示】
【発明が解決しようとする課題】
【０００４】
本願の図１には、左右一対の前輪および左右一対の後輪の各々に対するショックアブソーバと、一対の前輪の左右のショックアブソーバのうちの一方の側のショックアブソーバの作動油圧に対する他方の側のショックアブソーバの作動油圧の差と一対の後輪の左右のショックアブソーバのうちの前記一方の側のショックアブソーバの作動油圧に対する前記他方の側のショックアブソーバの作動油圧の差とを対向させるフリーピストンを備えたシリンダ−ピストン装置を有するクロス連結型ショックアブソーバシステムであって、更に一対の前輪および一対の後輪に対するショックアブソーバの各々に対し作動油の補給と排出を行う作動油給排手段を備えたものが、４輪車に組み込まれた状態で、これに関連する車輪等の車輌の一部と共に示されている。図示のハードウェア的構造自体は、この技術の分野に於いては公知のものであり、本発明はその制御頭脳部にソフトウエア的に組み込まれる制御手段にあるが、本発明が解決しようとする課題を明らかにするため、先ずかかるクロス連結型ショックアブソーバシステムが従来の制御手段により作動される場合の作動態様を説明する。
【０００５】
図１に於いて、１０fl，１０fr，１０rl，１０rrはそれぞれ左前輪、右前輪、左後輪、右後輪であり、各車輪はそれぞれサスペンションアーム１２fl，１２fr，１２rl，１２rrにより車体１４に対し上下に変位可能に懸架されており、それぞれショックアブソーバ１６fl，１６fr，１６rl，１６rrによりその車体に対する上下の変位が緩衝されるようになっている。尚、図には示されていないが、この技術の分野に於いては周知の通り、サスペンションアーム１２fl，１２fr，１２rl，１２rrには、ショックアブソーバ１６fl，１６fr，１６rl，１６rrに並列に配置されたサスペンションスプリングも作用しており、各車輪はサスペンションスプリングとショックアブソーバの並列組合せを介して車体を該当箇所にて支持している。
【０００６】
ショックアブソーバ１６fl，１６fr，１６rl，１６rrにはそれぞれ油路１８fl，１８fr，１８rl，１８rrが接続されており、これらの油路にはそれぞれ蓄圧室２０fl，２０fr，２０rl，２０rrが接続されている。図より明らかな通り、図示のサスペンション構造では、車体に対し車輪が上下すると、それに伴ってショックアブソーバのシリンダ部が車体に対し上下に変位するようになっており、車高センサ２２fl，２２fr，２２rl，２２rrが、車体に対するショックアブソーバのシリンダ部の変位より各車輪に対する該車輪部の車高の変化を検出するようになっている。
【０００７】
２４はマイクロコンピュータを備えた車輌の電子制御装置（ＥＣＵ）であり、本発明に係る制御だけでなく、車輌の自動制御に関する種々の演算を行う電子頭脳である。電子制御装置２４には、車高センサ２２fl，２２fr，２２rl，２２rrより各輪の位置に於ける車高を示す信号、操舵角センサ２６により検出された操舵角を示す信号、図には示されていない車速センサ、前後加速度センサ、横加速度センサ、ヨーレートセンサより車速、前後加速度、横加速度、ヨーレートを示す信号が供給される他、電子制御装置２４による車輌の自動制御のために必要なその他の種々の信号がそれらの信号発生装置より送られるようになっている。
【０００８】
ショックアブソーバ１６flの作動油圧は油路１８flを経てシリンダ２８とフリーピストン３０を備えたシリンダ−ピストン装置３２の油圧室３４flに導入され、ショックアブソーバ１６frの作動油圧は油路１８frを経てシリンダ−ピストン装置３２の油圧室３４frに導入され、ショックアブソーバ１６rlの作動油圧は油路１８rlを経てシリンダ−ピストン装置３２の油圧室３４rlに導入され、ショックアブソーバ１６rrの作動油圧は油路１８rrを経てシリンダ−ピストン装置３２の油圧室３４rrに導入されている。尚、図には示されていないが、油路１８fl，１８fr，１８rl，１８rrの途中には絞り弁が設けられ、それぞれの絞り度が電子制御装置２４により制御されるようになっていてよい。
【０００９】
シリンダ−ピストン装置３２のフリーピストン３０は、中央の大径ピストン部とその両側にある一対の同径の小径ピストン部とが互いにシャフトにて連結された段付きピストンであり、シリンダ２８は、大径ピストン部が係合する中央の大径シリンダ部とその両側にあって前記一対の小径ピストン部が係合する一対の同径の小径シリンダ部とを有する段付きシリンダである。
【００１０】
図１より明らかな通り、左右の前輪に作用するショックアブソーバの作動油圧はフリーピストンに対し左右の対応する端面に付与されており、左右の後輪に作用するショックアブソーバの作動油圧はフリーピストンに対し段付きピストンの大径ピストン部と小径ピストン部の面積差にて左右逆に付与されており、従って、例えば、車輌が左旋回することにより車体が遠心力により右方へ傾動し、右前輪のショックアブソーバの作動油圧が左前輪のショックアブソーバの作動油圧より上昇してフリーピストンを図にて左方へ付勢するときには、右後輪のショックアブソーバの作動油圧が左後輪のショックアブソーバの作動油圧より上昇してフリーピストンを図にて右方へ付勢し、こうして左右一対の車輪に対するショックアブソーバの作動油圧がフリーピストンによって対向され、ショックアブソーバは車体のローリングを抑えるよう作動することができる。
【００１１】
更に、ショックアブソーバ１６fl，１６fr，１６rl，１６rrより油路１８fl，１８fr，１８rl，１８rrを経てシリンダ−ピストン装置３２の油圧室３４fl，３４fr，３４rl，３４rrに至る作動油系の各々には、油溜３６より油圧ポンプ３８により汲み上げられ加圧された作動油が、電子制御装置２４によりその開閉を制御される電磁開閉弁４０fl，４０fr，４０rl，４０rrを経て選択的に補給され、また逆に油圧ポンプ３８が停止され、排油弁４２が開かれた状態で電磁開閉弁４０fl，４０fr，４０rl，４０rrが選択的に開かれることにより、各作動油系のから油溜３６へ向けて作動油が排出されるようになっている。
【００１２】
上記の如きハード構成を有するクロス連結型ショックアブソーバシステムと作動油給排手段とを備えた車輌がオフロードを走行しているとき、今、例えば、右前輪が凸部に乗り上げたとする。そうすると、右前輪は図１に示す如くバウンドするので、右前輪に対するショックアブソーバ１６frは収縮し、その作動油系の作動油圧を上昇させつつ作動油がショックアブソーバ１６frより押し出される。このショックアブソーバ１６frより押し出された作動油の一部は蓄圧室２０fr内のガス体積の縮小により吸収されるが、残りはシリンダ−ピストン装置３２の油圧室３４fr内へ流入し、フリーピストン３０を図にて左方へ変位させる。これによって左前輪に対するショックアブソーバ１６flの作動油圧は上昇し、ショックアブソーバ１６flは伸張するので、左前輪はリバウンドする。尚、フリーピストン３０の左方への変位は、シリンダ−ピストン装置３２の油圧室３４rrより作動油を押し出すので、右後輪に対するショックアブソーバ１６rrは伸長し、右後輪はリバウンドする。また右前輪が凸部に乗り上げることによりバウンドした状態では、車体は右前輪部に於いて持ち上げられた状態になるので、車体は左前輪と右後輪とを結ぶ対角線の周りに後方へ傾き、車体の左後輪部が下がるので、左後輪はバウンド状態になる。
【００１３】
図１に示す如くクロス連結型ショックアブソーバシステムに対し作動油給排手段が設けられているとき、従来、作動油給排手段の作動に対しては、図２に左右一対の車輪のバウンド／リバウンドによる車高変化の経過図として示す如く、目標車高に対しバウンド側に車高上げ制御開始車高と車高上げ制御終了車高とが設定され、左右の車輪部の車高がいずれも目標車高にあるときの左右前輪部の車高「左ａ」、「右ａ」から出発し、右前輪が凸部に乗り上げてバウンドすることにより右前輪部車高が車高上げ制御開始車高を横切って「右ｂ」まで低下したときには、その車輪に対するショックアブソーバへの作動油給排手段による作動油の補給が開始され、それによって右前輪部車高が車高上げ制御終了車高以内に復する車高「右ｃ」となったとき、作動油給排手段による作動油の補給が停止されるようになっていた。
【００１４】
この場合、右前輪が凸部への乗り上げから解放され、或いは車輌がオンロード走行に戻っても、右前輪のショックアブソーバ作動油系に補給された作動油はそのまま保持されるので、左右の前輪部の車高は目標車高よりリバウンド側に偏倚し、しかもフリーピストン３０の両側には互いに平衡した状態の左右の後輪のショックアブソーバの作動油圧も作用しているので、右前輪への作動油補給により生じた左右の前輪間に於ける作動油系内の作動油量の不平衡にそのまま対応してフリーピストン３０が左方への偏倚することは許されず、右前輪部の車高「右ｄ」が左前輪分の車高「左ｄ」より高くなる偏差が生ずる。
【００１５】
ただ、図２に例示する如く、右前輪のバウンドにより右前輪部車高が車高上げ制御開始車高を越えて低下する程度が比較的小さいときには、右前輪の凸部乗上げが解放され或いは車輌がオンロード走行に戻ったときの左右前輪部車高「左ｄ」と「右ｄ」の目標車高からの偏差および左右間の偏差は僅かである。
【００１６】
しかし、右前輪が高い凸部に乗り上げて大きくバウンドし、図３に例示する如く右前輪部の車高が車高上げ制御開始車高を大きく越えて「右ｂ」まで低下すると、作動油給排手段による作動油の補給により右前輪部の車高が回復し、車高上げ制御終了車高を横切ったところ（「右ｃ」）で作動油給排手段による作動油の補給が停止されても、電磁開閉弁４０frを含むショックアブソーバ作動油系の作動慣性によるオーバーシュートによって、右前輪のショックアブソーバ作動油系への作動油量の補給量が増大し、右前輪が凸部への乗上げから解放され或いは車輌がオンロード走行に戻っても、右前輪部の車高「右ｄ」は目標車高を越えてリバウンド側に大きく偏倚した状態となり、左前輪部の車高「左ｄ」に対しても大きな偏差が生ずる。また、このような状態ではフリーピストン３０も中立位置より左方へずれるので、左右の後輪部間にもそれに対応した車高偏差が生ずる。
【００１７】
本発明は、上記の如き作動油給排手段を伴うクロス連結型ショックアブソーバシステムを備えた車輌に於いて、図３に例示したように一輪が高い凸部へ乗り上げたとき、左右輪部の間に大きな車高偏差が残ることを抑制するよう、この種の車輌を改良することを課題としている。
【００１８】
尚、車高が車高上げ制御開始車高を越えて低減する度合の大小に拘わらず、作動油給排手段により何れかのショックアブソーバの作動油系へ補給された作動油はその系内に蓄積されるので、作動油給排手段の作動が繰り返されると、車高は次第に増大し、車高はやがて図２或いは３に示されている車高下げ制御開始車高を越える。車高が車高下げ制御開始車高を越えると、ここで排油弁４２が開かれ、車高が車高下げ制御終了車高を横切って低下するまで作動油系より作動油の排出が行われる。ただ、図２に例示する如き１輪の小さな凸部乗上げによる偏バウンドの積み重ねにより車高が増大するときは、通常左右の車高間に大きな差は生じないので、左右両輪部の車高はほぼ同様に車高下げ制御開始車高まで増大し、乗員に異和感を与えることはない。
【課題を解決するための手段】
【００１９】
上記の課題を解決するものとして、本発明は、左右一対の前輪および左右一対の後輪の各々に対するショックアブソーバと、前記一対の前輪の左右のショックアブソーバのうちの一方の側のショックアブソーバの作動油圧に対する他方の側のショックアブソーバの作動油圧の差と前記一対の後輪の左右のショックアブソーバのうちの前記一方の側のショックアブソーバの作動油圧に対する前記他方の側のショックアブソーバの作動油圧の差とを対向させるフリーピストンを備えたシリンダ−ピストン装置と、前記一対の前輪および前記一対の後輪の少なくとも一方の車輪対に対するショックアブソーバの各々に対し作動油の補給と排出を行う作動油給排手段とを有し、前記車輪の一つのバウンドにより該車輪部の車高が車高上げ制御開始車高を越えて低減したときには該車輪に対するショックアブソーバに対し前記作動油給排手段により作動油の補給を開始し、該車輪部の車高が車高上げ制御終了車高以内に復したときには該ショックアブソーバに対する前記作動油給排手段による作動油の補給を停止するようになっているクロス連結型ショックアブソーバシステムを備えた車輌にして、左右いずれか一輪の凸部への乗上げに対する前記作動油給排手段による作動油の補給の停止を該乗上げの高さの増大に応じてより早くするようになっていることを特徴とする車輌を提案するものである。
【００２０】
前記の左右いずれか一輪の凸部への乗上げに対する前記作動油給排手段による作動油の補給の停止を該乗上げの高さの増大に応じてより早くすることは、前記一輪部の車高とそれと左右反対側の車輪部の車高との間の車高差を所定の分割比にて分割する中間車高が該乗上げの高さが小さいときのために設定された所定の車高上げ制御終了車高を横切ることにより前記作動油給排手段による作動油の補給を停止することにより行なわれるようになっていてよい。この場合、前記分割比は前記乗上げの高さの増大に応じてその分割点が前記一輪部の車高より前記左右反対側の車輪部の車高へ向かうように定められていてよく、また更に、前記分割点は前記乗上げの高さが所定の車高上げ制御開始車高であるとき前記一輪部の車高に一致するよう定められていてよい。
【００２１】
或いはまた、前記の左右いずれか一輪の凸部への乗上げに対する前記作動油給排手段による作動油の補給の停止を該乗上げの高さの増大に応じてより早くすることは、該乗上げの高さの増大に応じて前記一輪部の車高に所定の低減比を掛けた修正車高が該乗上げの高さが小さいときのために設定された所定の車高上げ制御終了車高を横切ることにより前記作動油給排手段による作動油の補給を停止することにより行なわれるようになっていてよい。この場合、前記低減比は前記乗上げの高さの増大に応じて小さくなるように定められていてよく、また更に、前記低減比は前記乗上げの高さが所定の車高上げ制御開始車高であるとき１となるよう定められていてよい。
【００２２】
或いはまた、前記の左右いずれか一輪の凸部への乗上げに対する前記作動油給排手段による作動油の補給の停止を該乗上げの高さの増大に応じてより早くすることは、該乗上げの高さの増大に応じて増大する増大比を該乗上げの高さが小さいときのために設定された所定の車高上げ制御終了車高に掛けた修正車高上げ制御終了車高を前記一輪部の車高が横切ることにより前記作動油給排手段による作動油の補給を停止することにより行なわれるようになっていてもよい。この場合、前記増大比は前記乗上げの高さの増大に応じて大きくなるように定められていてよく、また更に、前記増大は前記乗上げの高さが所定の車高上げ制御開始車高であるとき１となるよう定められていてよい。
【発明の効果】
【００２３】
上記の如く、左右一対の前輪および左右一対の後輪の各々に対するショックアブソーバと、前記一対の前輪の左右のショックアブソーバのうちの一方の側のショックアブソーバの作動油圧に対する他方の側のショックアブソーバの作動油圧の差と前記一対の後輪の左右のショックアブソーバのうちの前記一方の側のショックアブソーバの作動油圧に対する前記他方の側のショックアブソーバの作動油圧の差とを対向させるフリーピストンを備えたシリンダ−ピストン装置と、前記一対の前輪および前記一対の後輪の少なくとも一方の車輪対に対するショックアブソーバの各々に対し作動油の補給と排出を行う作動油給排手段とを有し、前記車輪の一つのバウンドにより該車輪部の車高が車高上げ制御開始車高を越えて低減したときには該車輪に対するショックアブソーバに対し前記作動油給排手段により作動油の補給を開始し、該車輪部の車高が車高上げ制御終了車高以内に復したときには該ショックアブソーバに対する前記作動油給排手段による作動油の補給を停止するようになっているクロス連結型ショックアブソーバシステムを備えた車輌に於いて、左右いずれか一輪の凸部への乗上げに対する前記作動油給排手段による作動油の補給の停止を該乗上げの高さの増大に応じてより早くするようになっていれば、該乗上げの高さの大小に合わせて前記作動油給排手段による作動油の補給の停止時期を適切に制御し、上記のオーバーシュートの発生を抑制することができる。
【００２４】
この場合に、前記の左右いずれか一輪の凸部への乗上げに対する前記作動油給排手段による作動油の補給の停止を該乗上げの高さの増大に応じてより早くすることが、前記一輪部の車高とそれと左右反対側の車輪部の車高との間の車高差を所定の分割比にて分割する中間車高が該乗上げの高さが小さいときのために設定された所定の車高上げ制御終了車高を横切ることにより前記作動油給排手段による作動油の補給を停止することにより行なわれるようになっていれば、車高上げ制御終了車高を乗上げ高さが或る小さい値のときに対し所定の一定値に設定しておいたままで、乗上げ高さの増大に応じて前記分割比を調節することにより、乗上げの高さの大小に合わせて前記作動油給排手段による作動油の補給の停止時期を適切に制御し、上記のオーバーシュートの発生を抑制することができる。特に、乗上げの高さの増大に応じてその分割点が前記一輪部の車高より左右反対側の車輪部の車高へ向かうように前記分割比が定められれば、乗上げの高さに対応する前記分割比を一つのマップにしておくことにより、乗上げの高さに応じて分割比を該マップから読み取り、直ちに前記中間車高を算出することができる。また乗上げの高さが所定の車高上げ制御開始車高であるとき前記分割点が前記一輪部の車高に一致するよう定められれば、乗上げの高さが丁度所定の車高上げ制御開始車高であるとき、乗上げの高さが丁度所定の車高上げ制御終了車高まで復した時点で作動油給排手段による作動油の補給が停止される。
【００２５】
また、前記の左右いずれか一輪の凸部への乗上げに対する前記作動油給排手段による作動油の補給の停止を該乗上げの高さの増大に応じてより早くすることが、該乗上げの高さの増大に応じて前記一輪部の車高に所定の低減比を掛けた修正車高が該乗上げの高さが小さいときのために設定された所定の車高上げ制御終了車高を横切ることにより前記作動油給排手段による作動油の補給を停止することにより行なわれるようになっていれば、車高上げ制御終了車高を乗上げ高さが或る小さい値のときに対し一定に設定しておいたままで、乗上げ高さの増大に応じて上記の低減比を小さくすることにより、乗上げの高さの大小に合わせて前記作動油給排手段による作動油の補給の停止時期を適切に制御し、上記のオーバーシュートの発生を抑制することができる。特に、前記低減比が乗上げの高さの増大に応じて小さくなるように定められれば、乗上げの高さに対応する前記低減比を一つのマップにしておくことにより、乗上げの高さに応じて低減比を該マップから読み取り、直ちに前記修正車高を算出することができる。また前記低減比が乗上げの高さの増大に応じて小さくなるように定められれば、乗上げの高さが丁度所定の車高上げ制御開始車高であるとき、乗上げの高さが丁度所定の車高上げ制御終了車高まで復した時点で作動油給排手段による作動油の補給が停止される。
【００２６】
また、前記の左右いずれか一輪の凸部への乗上げに対する前記作動油給排手段による作動油の補給の停止を該乗上げの高さの増大に応じてより早くすることが、該乗上げの高さの増大に応じて増大する増大比を該乗上げの高さが小さいときのために設定された所定の車高上げ制御終了車高に掛けた修正車高上げ制御終了車高を前記一輪部の車高が横切ることにより前記作動油給排手段による作動油の補給を停止することにより行なわれるようになっていれば、車高上げ制御終了車高の基本値を乗上げ高さが或る小さい値のときに対し一定に設定しておいたままで、乗上げ高さの増大に応じて上記の増大比を大きくすることにより、乗上げの高さの大小に合わせて前記作動油給排手段による作動油の補給の停止時期を適切に制御し、上記のオーバーシュートの発生を抑制することができる。特に、前記増大比が乗上げの高さの増大に応じて大きくなるように定められれば、乗上げの高さに対応する前記増大比を一つのマップにしておくことにより、乗上げの高さに応じて増大比を該マップから読み取り、直ちに前記修正車高上げ制御終了車高を算出することができる。また前記増大比が乗上げの高さが所定の車高上げ制御開始車高であるとき１となるよう定められれば、乗上げの高さが丁度所定の車高上げ制御開始車高であるとき、乗上げの高さが丁度所定の車高上げ制御終了車高まで復した時点で作動油給排手段による作動油の補給が停止される。
【発明を実施するための最良の形態】
【００２７】
上記の通り、本発明は、図１に示す如く左右一対の前輪および左右一対の後輪の各々に対するショックアブソーバと、一対の前輪の左右のショックアブソーバのうちの一方の側のショックアブソーバの作動油圧に対する他方の側のショックアブソーバの作動油圧の差と一対の後輪の左右のショックアブソーバのうちの前記一方の側のショックアブソーバの作動油圧に対する前記他方の側のショックアブソーバの作動油圧の差とを対向させるフリーピストンを備え、更に一対の前輪および一対の後輪に対するショックアブソーバの各々に対し作動油の補給と排出を行う作動油給排手段を備えたクロス連結型ショックアブソーバシステムであって、ハードウェア的構造自体はこの技術の分野に於いては公知のクロス連結型ショックアブソーバシステムを、その制御頭脳部にソフトウエア的に組み込まれる制御手段に関して改良するものであり、本発明のハードウェア的実施の形態は、図１に示され、上の「発明が解決しようとする課題」の項にて既に説明された通りのものであるので、本発明のハードウェア的実施の形態として同じ説明を繰り返すことは、明細書の冗長化を避けるため省略する。
【００２８】
図４は、図１に示したハードウェア的構造のクロス連結型ショックアブソーバシステムを備えた車輌に於いて本発明が実施される場合の、第一の実施の形態を、図２および図３に示した従来技術に対比させて示す、図２および図３と同様の左右一対の車輪のバウンド／リバウンドによる車高変化の経過図である。
【００２９】
この場合にも、図２および図３の場合と同様に、今、左右の前輪部の車高がいずれも目標車高にあるときの左右前輪部の車高「左ａ」、「右ａ」から出発し、右前輪が凸部へ乗り上げてバウンドすることにより右前輪部車高が車高上げ制御開始車高を横切って「右ｂ」まで低下すると、ここで作動油給排手段による右前輪ショックアブソーバへの作動油の補給が開始されるが、このとき、この実施の形態では、右前輪部の車高低減の最大値に基づいて図４の一部に例示した如きαマップを参照して、車高最大低減値に対応する係数αの値αxが求められる。αマップは、最大低減車高が大きい（但し絶対値で）ときの０に近い値から最大低減車高が丁度車高上げ制御開始車高であるときの１の値まで、最大低減車高の大きさに応じてここに例示する如く変化するαの値を指定するマップである。
【００３０】
そして、作動油給排手段による作動油の補給により右前輪部の車高が回復してくると、右前輪部の車高Ｈdc（負の値）とこれと左右反対側の左前輪部の車高Ｈuc（正の値）との間の車高差Ｈuc−Ｈdcを上記の分割比αxにて分割する中間車高Ｈdc−Ｘdが、乗上げの高さが小さいときのために設定された車高上げ制御終了車高を横切ることにより、作動油給排手段による作動油の補給が停止されるようになっている。ここで、Ｘdは（１−αx）(Ｈuc−Ｈdc）である。左右前輪部の車高差Ｈuc−Ｈdcは、分割比αxにより、Ｘu＝αx
(Ｈuc−Ｈdc）とＸd＝（１−αx）(Ｈuc−Ｈdc）とに分割され、右前輪のバウンドによる右前輪部の最大低減車高「右ｂ」の低限度が大きくなる程、αxは小さくなり、それによってＸdは大きくなり、分割比αxによる分割点の車高Ｈdc−Ｘdは車高Ｈdcに比してより高くなる（｜Ｈdc−Ｘd｜＜｜Ｈdc｜）。そして、図示のαマップの例では、車高「右ｂ」が丁度車高上げ制御開始車高のとき、αxの値が１となるので、最大低減車高「右ｂ」が丁度車高上げ制御開始車高のとき、Ｘd＝０となって、分割比αxによる分割点の車高Ｈdc−ＸdはＨdcに等しくなる。
【００３１】
このように作動油が補給される側の車高とそれと左右反対の側の車高との間の車高差を、バウンドが大きいとき０に近く、バウンドが丁度車高上げ制御開始車高に対応するとき１の値となるαマップに示す如き分割比αにて左右の車高差をαと（１−α）の比に分割する中間車高が、バウンドが小さいときのために設定された車高上げ制御終了車高を横切ることにより作動油給排手段による作動油の補給を停止することにより、車高上げ制御終了車高としてバウンドが或る小さい値のときに対し設定した一定の車高上げ制御終了車高を用いても、バウンドが大きいときには、作動油の補給の停止時期をより早めにし、バウンドの大小に作動油給排手段による作動油の補給の停止時期を適合させて上記のオーバーシュートの発生を抑制することができる。
【００３２】
図５は、同じく図１に示したハードウェア的構造のクロス連結型ショックアブソーバシステムを備えた車輌に於いて本発明が実施される場合の、第二の実施の形態を、図２および図３に示した従来技術および図４に示した本発明の第一の実施の形態に対比させて示す、同様の左右一対の車輪のバウンド／リバウンドによる車高変化の経過図である。
【００３３】
この場合にも、図２〜図４の場合と同様に、今、左右の前輪部の車高がいずれも目標車高にあるときの左右前輪部の車高「左ａ」、「右ａ」から出発し、右前輪が凸部へ乗り上げてバウンドすることにより右前輪部車高が車高上げ制御開始車高を横切って「右ｂ」まで低下すると、ここで作動油給排手段による右前輪ショックアブソーバへの作動油の補給が開始されるが、このとき、この実施の形態では、右前輪部の車高低減の最大値（但し絶対値で）に基づいて図５の一部に例示した如きβマップを参照して車高最大低減値に対応する係数βの値βxが求められる。βマップは、一例として、最大低減車高が大きい（但し絶対値で）ときの０．５程度の値から最大低減車高が丁度車高上げ制御開始車高であるときの１の値まで、最大低減車高の大きさに応じてここに例示する如く変化するβの値を指定するマップである。
【００３４】
この場合、作動油給排手段による作動油の補給により右前輪部の車高が回復してくると、右前輪部の車高Ｈdcに上記のβxを掛けた車高βxＨdcが、乗上げの高さが小さいときのために設定された車高上げ制御終了車高を横切ることにより作動油給排手段による作動油の補給が停止されるようになっている。βは右前輪のバウンドによる右前輪部の車高低減度が車高上げ制御開始車高を越えて大きくなる（但し絶対値にて）につれて１より次第に小さくなるので、かかる係数βを用いることによっても、βマップを適当に定めておくことにより、車高上げ制御終了車高としてバウンドが或る小さい値のときに対し設定した一定の車高上げ制御終了車高を用いても、バウンドが大きいときには、作動油の補給の停止時期をより早めにし、バウンドの大小に作動油給排手段による作動油の補給の停止時期を適合させて上記のオーバーシュートの発生を抑制することができる。
【００３５】
図６は、同じく図１に示したハードウェア的構造のクロス連結型ショックアブソーバシステムを備えた車輌に於いて本発明が実施される場合の、第三の実施の形態を、図２および図３に示した従来技術および図４および図５に示した本発明の第一および第二の実施の形態に対比させて示す、同様の左右一対の車輪のバウンド／リバウンドによる車高変化の経過図である。
【００３６】
この場合にも、図２〜図５の場合と同様に、今、左右の前輪部の車高がいずれも目標車高にあるときの左右前輪部の車高「左ａ」、「右ａ」から出発し、右前輪が凸部へ乗り上げてバウンドすることにより右前輪部車高が車高上げ制御開始車高を横切って「右ｂ」まで低下すると、ここで作動油給排手段による右前輪ショックアブソーバへの作動油の補給が開始されるが、このとき、この実施の形態では、右前輪部の車高低減の最大値（但し絶対値で）に基づいて図６の一部に例示した如きγマップを参照して車高最大低減値に対応する係数γの値γxが求められる。γマップは、一例として、最大低減車高が丁度車高上げ制御開始車高であるとき１であり、最大低減車高がこれより大きくなる（但し絶対値で）とき、最大低減車高の大きさに応じてここに例示する如く変化するγの値を指定するマップである。
【００３７】
この場合、作動油給排手段による作動油の補給により右前輪部の車高が回復してくると、最大低減車高が丁度車高上げ制御開始車高であるような、乗上げの高さが小さいときのために設定された車高上げ制御終了車高の基本値Ｈcoに、上記のγxを掛けた修正車高上げ制御終了車高γxＨcoを横切って車高が回復することにより、作動油給排手段による作動油の補給が停止されるようになっている。γは右前輪のバウンドによる右前輪部の車高低減度が車高上げ制御開始車高を越えて大きくなる（但し絶対値にて）につれて１より次第に大きくなるので、かかる係数γを用いることによっても、γマップを適当に定めておくことにより、車高上げ制御終了車高の基本値としてバウンドが或る小さい値のときに対し設定した一定値を用いても、バウンドが大きいときには、作動油の補給の停止時期をより早めにし、バウンドの大小に作動油給排手段による作動油の補給の停止時期を適合させて上記のオーバーシュートの発生を抑制することができる。
【００３８】
以上に於いては本発明をいくつかの実施の形態について詳細に説明したが、これらの実施の形態について本発明の範囲内にて種々の変更が可能であることは当業者にとって明らかであろう。
【図面の簡単な説明】
【００３９】
【図１】クロス連結型ショックアブソーバシステムを備えた車輌の本発明に関与する要部のハードウェア的構造を示す概略図。
【図２】図１に示すクロス連結型ショックアブソーバシステムに於ける左右一対の車輪のバウンド／リバウンドによる車高変化の経過をバウンドが小さい場合に従来技術について示す図。
【図３】従来技術に於いてバウンドが大きい場合を示す図２と同様の図。
【図４】本発明の第一の実施の形態による左右一対の車輪のバウンド／リバウンドによる車高変化の経過を示す図。
【図５】本発明の第二の実施の形態による左右一対の車輪のバウンド／リバウンドによる車高変化の経過を示す図。
【図６】本発明の第三の実施の形態による左右一対の車輪のバウンド／リバウンドによる車高変化の経過を示す図。
【符号の説明】
【００４０】
１０fl，１０fr，１０rl，１０rr…左前輪、右前輪、左後輪、右後輪、１２fl，１２fr，１２rl，１２rr…サスペンションアーム、１４…車体、１６fl，１６fr，１６rl，１６rr…ショックアブソーバ、１８fl，１８fr，１８rl，１８rr…油路、２０fl，２０fr，２０rl，２０rr…蓄圧室、２２fl，２２fr，２２rl，２２rr…車高センサ、２４…電子制御装置、２６…操舵角センサ、２８…シリンダ、３０…フリーピストン、３２…シリンダ−ピストン装置、３４fl，３４fr，３４rl，３４rr…油圧室、３６…油溜、３８…油圧ポンプ、４０fl，４０fr，４０rl，４０rr…電磁開閉弁、４２…排油弁
【図１】
2008044488.tif 000003
【図２】
2008044488.tif 000004
【図３】
2008044488.tif 000005
【図４】
2008044488.tif 000006
【図５】
2008044488.tif 000007
【図６】
2008044488.tif 000008